(57)【要約】      （修正有）【課題】ラック上の設備ユニットの設置を補助し、固定をより堅固に安定させることができるラックに用いる固定部品を提供する。【解決手段】ラックに用いる固定部品１０は、設備ユニットとラックの垂直サポート柱との間に用いられるとともに、第一平板１２、第二平板１４、第一平板１２と第二平板１４とを連接する連接部１６、フック部１８を備える。第一固定部２０は、第一平板１２から屈折して延伸され、第二固定部２４は、第二平板１４から屈折して延伸される。フック部１８は、第一平板１２、第二平板１４、連接部１６の内の１個の片側から延伸され、設備ユニット後端の側壁と係合する。第一固定部２０及び第二固定部２４は、ラックの垂直サポート柱に固定される。【選択図】図１
0003171230.tif 000002
【実用新案登録請求の範囲】
【請求項１】
第一平板、前記第一平板に相対する第二平板、前記第一平板と前記第二平板とを連接する連接部、フック部を備えた、ラックに用いる固定部品であって、
前記第一平板は、第一固定部を備え、前記第一固定部は、前記第一平板から屈折して延伸され、しかも前記第一固定部は、孔を備え、
前記第二平板は、前記第一固定部に相対する第二固定部を備え、前記第二固定部は、前記第二平板から屈折して延伸され、しかも前記第二固定部は、孔を備え、
前記フック部は、前記第一平板、前記第二平板、前記連接部の内の１個から延伸されることを特徴とするラックに用いる固定部品。
【請求項２】
前記第一固定部と前記第二固定部とは、第一平板と第二平板に、それぞれ垂直であることを特徴とする請求項１に記載のラックに用いる固定部品。
【請求項３】
前記ラックに用いる固定部品はさらに、延伸部を備え、前記延伸部は、第一平板の頂点縁から延伸されることを特徴とする請求項１に記載のラックに用いる固定部品。
【請求項４】
前記延伸部は、第一平板に垂直であることを特徴とする請求項３に記載のラックに用いる固定部品。
【請求項５】
前記フック部は、Ｕ形状に形成されることを特徴とする請求項１に記載のラックに用いる固定部品。
【請求項６】
前記フック部は、第一平板、第二平板、連接部の同一側から一緒に延伸されることを特徴とする請求項１に記載のラックに用いる固定部品。
【考案の詳細な説明】
【技術分野】
【０００１】
本考案はラックに用いる固定部品に関し、特にラック上の設備ユニットの設置を補助し、固定をより堅固に安定させることができるラックに用いる固定部品に関する。
【背景技術】
【０００２】
一般的に、サーバー、ボックス型のコンピューターコンポーネント、電子機器等の複数の設備ユニットは、ラック（rack）上に設置され、こうしてスペースを節減する。しかもこれにより、各設備ユニットは、ラック内から引き出して検査、メンテナンス、修理が行え、非常に便利である。通常は、各設備ユニットの両側に、スライドレールアセンブリ或いはブラケットを設置し、スライドレールアセンブリ或いはブラケットにより、設備ユニットをラック上に設置する。さらにこれにより、設備ユニットは、スライドレールアセンブリ或いはブラケットにより、ラックに収納される時、ロックされる。
【０００３】
常用される設備ユニットのロック方式は、前面板部位にツマミを設置するものである。ツマミは固定孔或いはボルトを備え、これにより、ラックに螺合して固定し、設備ユニットが前方へとすべり出てこないようにする。
【０００４】
しかし、前面板のツマミによってのみ、ラックに固定する方式には、以下のような欠点がある。
すなわち、設備ユニットを固定したラック製品は、出貨後の輸送過程において、常に震動にさらされる環境にあり、しかもサーバーの中には非常に重いものもあるため、ツマミにだけ頼りサーバー前端とラックとの間を繋ぐのでは、その安定性は不足の嫌いがある。同様に、設置している際に、突然の揺れ、震動に遭っても、ラック製品の防振効果は高くない。
よって、本考案は、従来のラックに用いる固定部品の上記した欠点に鑑みてなされたものである。
【考案の概要】
【考案が解決しようとする課題】
【０００５】
本考案が解決しようとする課題は、常に震動に見舞われる環境にあっても、ラック上に設置する設備ユニットをより安定的かつ堅固に固定することができるラックに用いる固定部品を提供することである。
【課題を解決するための手段】
【０００６】
上記課題を解決するため、本考案は下記のラックに用いる固定部品を提供する。ラックに用いる固定部品は、第一平板、第二平板、連接部、フック部を備え、該第一平板は、第一固定部を備え、該第一固定部は、該第一平板の板体が屈折して延伸し、しかも第一固定部は、該孔を備え、該第一平板に相対する第二平板は、該第一固定部に相対する第二固定部を備え、該第二固定部は、第二平板の板体が屈折して延伸し、しかも該第二固定部は、孔を備え、該連接部は、該第一平板と該第二平板とを連接し、該フック部は、第一平板、第二平板、連接部の内の１個の片側から延伸し、好ましくは、第一固定部と第二固定部とは、第一平板と第二平板に、おおよそそれぞれ垂直で、好ましくは、さらに延伸部を備え、該延伸部は、第一平板の頂点縁から水平に延伸し、好ましくは、該延伸部は、第一平板におおよそ垂直で、好ましくは、該フック部は、Ｕ形状を形成し、好ましくは、該フック部は、第一平板、第二平板及び連接部の同じ側から一緒に延伸する。
【考案の効果】
【０００７】
本考案のラックに用いる固定部品は、常に震動に見舞われる環境にあっても、ラック上に設置する設備ユニットをより安定的かつ堅固に固定することができる。
【図面の簡単な説明】
【０００８】
【図１】本考案実施例の固定部品の立体図である。
【図２】本考案実施例の固定部品の別の角度からの立体図である。
【図３】設備ユニットを、ラック後端の垂直サポート柱に設置する様子を示す後側平面図である。
【図４】設備ユニットを、ラック後端の垂直サポート柱に設置する様子を示す立体図である。
【図５】設備ユニットを、ラック後端の垂直サポート柱に設置する様子を示す別の角度からの立体図である。
【図６】本考案実施例の固定部品を、設備ユニットと垂直サポート柱との間に設置する対応関係を示す模式図である。
【図７】本考案実施例の固定部品を、設備ユニットと垂直サポート柱との間に設置する定位模式図である。
【図８】本考案実施例の固定部品が延伸部を備える様子を示す立体図である。
【図９】本考案実施例の固定部品が、延伸部により設備ユニットに係合する様子を示す設置模式図である。
【考案を実施するための形態】
【０００９】
以下に図面を参照しながら本考案を実施するための最良の形態について詳細に説明する。
【００１０】
図１、２に示すように、本考案一実施例の固定部品10は、第一平板12、第一平板12に相対する第二平板14、第一平板12と第二平板14とを連接する連接部16、第一平板12、第二平板14、連接部16の内の１個の片側から延伸するフック部18を備える。
【００１１】
好ましくは、フック部18は、第一平板12、第二平板14、連接部16の同じ側から一緒に延伸し、しかもフック部18は、Ｕ形状に形成することができる。第一平板12は、第一固定部20を備え、第一固定部20は、第一平板12の板体が屈折して延伸し、しかも第一固定部20は、孔22を備える。第二平板14は、第一固定部20に相対する第二固定部24を備え、第二固定部24は、第二平板14の板体が屈折して延伸し、しかも第二固定部24も、孔26を備える。一実施例中では、第一固定部20と第二固定部24とは、第一平板12と第二平板14に、おおよそそれぞれ垂直である。
【００１２】
図３、４には、設備ユニット28を示す。ラック（rack）後側には、一対の垂直サポート柱30を備え、一対のブラケット32は、設備ユニット28と一対の垂直サポート柱30との間に設置する。一対のブラケット32は、逆向きの受け止め板34を備え、これにより設備ユニット28の底部を支える。各垂直サポート柱30は、複数の設置孔36を備える。各ブラケット32は、少なくとも２個の螺合部品38及びガード部品40を備える。各螺合部品38は、垂直サポート柱30の設置孔36に通して設置し、ブラケット32を掛け、しかもガード部品40により、垂直サポート柱30上で停止させ、これにより螺合部品38が設置孔36から脱出することはない。また、ブラケット32は、螺合部品38に対応し螺合接続孔42を設置し、設備ユニット28は、垂直サポート柱30の側辺後端に隣接し、突出状の側壁44を備える(図５参照)。
【００１３】
図６、７に示すように、固定部品10は、設備ユニット28と垂直サポート柱30との間に設置する。固定部品10のフック部18は、設備ユニット28の側壁44に係合する。しかも、固定部品10の第一平板12、第二平板14及び連接部16は、ほぼ設備ユニット28の側辺に密着する。しかも、固定部品10の第一固定部20及び第二固定部24は、垂直サポート柱30の２個の設置孔36に対応する。第一固定部20には、定位部品ユニットを対応させ、垂直サポート柱30の設置孔36に設置することができる。この定位部品ユニットは、第一螺合部品46、外付け式螺合台48、第二螺合部品50を備える。第一螺合部品46を、第一固定部20の孔22に通し、外付け式螺合台48と相互に対応させることができる。第二固定部24は、第二螺合部品50を、第二固定部24の孔26に通し、ブラケット32の螺合接続孔42に固定する。固定部品10のフック部18により、設備ユニット28の側壁44に係合し、こうして設備ユニット28の左右への揺れを防止することができる。
【００１４】
図８、９に示すように、本考案はさらに、固定部品10の第一平板12の頂点縁から延伸する延伸部52を備え、延伸部52を設備ユニット28の頂点辺に密着させる。これにより、設備ユニット28は、固定部品10の延伸部52とブラケット32の受け止め板34（図３参照）により上下に挟持され、垂直サポート柱30に対してより堅固となる。一実施例では、延伸部52はおおよそ、固定部品10の第一平板12に垂直である。
【００１５】
上記したように、設備ユニット28は、固定部品10により、ラック上に固定され、安定的かつ堅固に定位される。こうして、ラック全体は、頻繁に震動に見舞われる環境中において、設備ユニット28のラック内設置の安定性を確保することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１８】
10  固定部品
12  第一平板
14  第二平板
16  連接部
18  フック部
20  第一固定部
22  孔
24  第二固定部
26  孔
28  設備ユニット
30  垂直サポート柱
32  ブラケット
34  受け止め板
36  設置孔
38  螺合部品
40  ガード部品
42  螺合接続孔
44  側壁
46  第一螺合部品
48  外付け式螺合台
50  第二螺合部品
52  延伸部
【図１】
0003171230.tif 000003
【図２】
0003171230.tif 000004
【図３】
0003171230.tif 000005
【図４】
0003171230.tif 000006
【図５】
0003171230.tif 000007
【図６】
0003171230.tif 000008
【図７】
0003171230.tif 000009
【図８】
0003171230.tif 000010
【図９】
0003171230.tif 000011